(57)【要約】【課題】  ステープル残数不足により印刷データのすべてを印刷することができなくなる事態を回避する画像形成装置を提供する。【解決手段】  印刷時刻指定機能を有する画像形成装置において、受信した印刷データの印刷に必要なステープル数を計数するステープル計数手段１０２と、装置内のステープル残数を検知するステープル残数検知手段１０６と、印刷時刻が指定された印刷データを受信した際に、印刷データの印刷に必要なステープル数がステープル残数よりも大きい場合にステープル残数の不足を通知する表示手段１０８と、各手段を制御する制御手段１０５とを備えた。【選択図】        図１
2006224352.tif 000002
【特許請求の範囲】
【請求項１】
印刷時刻指定機能を有する画像形成装置において、受信した印刷データの印刷に必要なステープル数を計数するステープル計数手段と、装置内のステープル残数を検知するステープル残数検知手段と、印刷時刻が指定された印刷データを受信した際に、印刷データの印刷に必要なステープル数がステープル残数よりも大きい場合にステープル残数の不足を通知する表示手段と、各手段を制御する制御手段とを備えたことを特徴とする画像形成装置。
【請求項２】
請求項１記載の画像形成装置において、印刷時刻が指定された印刷データを記憶する印刷データ記憶手段を備え、ステープル計数手段は、記憶されている印刷データの印刷に必要なステープル数を計数する機能を有し、前記制御手段は、記憶されている印刷データの印刷に必要なステープル数がステープル残数よりも大きい場合にステープル残数の不足を通知するように前記表示手段を制御することを特徴とする画像形成装置。
【請求項３】
請求項２記載の画像形成装置において、前記制御手段は、印刷データを受信した際に、受信した印刷データの印刷に必要なステープル数と記憶されている印刷データの印刷に必要なステープル数の合計がステープル残数よりも大きい場合に、ステープル残数の不足を通知するように前記表示手段を制御することを特徴とする画像形成装置。
【請求項４】
請求項２記載の画像形成装置において、前記制御手段は、印刷データを受信した際に、受信した印刷データの印刷に必要なステープル数と記憶されている印刷データの印刷に必要なステープル数の合計がステープル残数よりも大きい場合に、受信した印刷データの印刷を禁止することを特徴とする画像形成装置。
【請求項５】
請求項４記載の画像形成装置において、前記制御手段は、ステープル残数の不足により受信した印刷データの印刷を行わない場合に、ステープル残数の不足を通知するように前記表示手段を制御することを特徴とする画像形成装置。
【請求項６】
請求項４記載の画像形成装置において、前記制御手段は、記憶されている印刷データの印刷に必要なステープル数の合計がステープル残数よりも小さい場合に、受信した印刷データのうち、まだ印刷されていない残り印刷部数のうちの１部を印刷することを特徴とする画像形成装置。
【請求項７】
請求項４記載の画像形成装置において、前記制御手段は、ステープル残数の不足により印刷できない場合に、ステープル残数の不足を通知するように前記表示手段を制御することを特徴とする画像形成装置。
【発明の詳細な説明】
【技術分野】
【０００１】
本発明は、複写機、プリンタ、ファクシミリ装置などの画像形成装置に関し、特に、印刷時刻指定機能を有する画像形成装置に関する。
【背景技術】
【０００２】
印刷データの画像形成時刻を指定できる画像形成装置が知られている。一方、高速、大型画像形成装置では、画像形成装置本体にオプションの大容量給紙バンク、ＡＤＦ、用紙後処理装置を併設し、画像形成システムを構築するのが一般的である。用紙後処理装置には、ソータ、ステープラ、パンチユニットなどが組み込まれる。
【発明の開示】
【発明が解決しようとする課題】
【０００３】
印刷時刻指定機能を有し、かつステープラを組み込んだ用紙後処理装置を有する画像形成装置において、印刷時刻を指定された印刷データの印刷に際し、ステープル残数が不足していて印刷データのすべてを印刷できないことがある。
本発明は、ステープル残数不足により印刷データのすべてを印刷することができなくなる事態を回避する画像形成装置を提供することを目的とする。
【課題を解決するための手段】
【０００４】
上記目的を達成するために、請求項１記載の発明は、印刷時刻指定機能を有する画像形成装置において、受信した印刷データの印刷に必要なステープル数を計数するステープル計数手段と、装置内のステープル残数を検知するステープル残数検知手段と、印刷時刻が指定された印刷データを受信した際に、印刷データの印刷に必要なステープル数がステープル残数よりも大きい場合にステープル残数の不足を通知する表示手段と、各手段を制御する制御手段とを備えた画像形成装置を最も主要な特徴とする。
請求項２記載の発明は、請求項１記載の画像形成装置において、印刷時刻が指定された印刷データを記憶する印刷データ記憶手段を備え、ステープル計数手段は、記憶されている印刷データの印刷に必要なステープル数を計数する機能を有し、前記制御手段は、記憶されている印刷データの印刷に必要なステープル数がステープル残数よりも大きい場合にステープル残数の不足を通知するように前記表示手段を制御することを特徴とする。
請求項３記載の発明は、請求項２記載の画像形成装置において、前記制御手段は、印刷データを受信した際に、受信した印刷データの印刷に必要なステープル数と記憶されている印刷データの印刷に必要なステープル数の合計がステープル残数よりも大きい場合に、ステープル残数の不足を通知するように前記表示手段を制御することを特徴とする。
請求項４記載の発明は、請求項２記載の画像形成装置において、前記制御手段は、印刷データを受信した際に、受信した印刷データの印刷に必要なステープル数と記憶されている印刷データの印刷に必要なステープル数の合計がステープル残数よりも大きい場合に、受信した印刷データの印刷を禁止することを特徴とする。
請求項５記載の発明は、請求項４記載の画像形成装置において、前記制御手段は、ステープル残数の不足により受信した印刷データの印刷を行わない場合に、ステープル残数の不足を通知するように前記表示手段を制御することを特徴とする。
請求項６記載の発明は、請求項４記載の画像形成装置において、制御手段は、記憶されている印刷データの印刷に必要なステープル数の合計がステープル残数よりも小さい場合に、受信した印刷データのうち、まだ印刷されていない残り印刷部数のうちの１部を印刷する制御を行う画像形成装置を主要な特徴とする。
請求項７記載の発明は、請求項４記載の画像形成装置において、前記制御手段は、ステープル残数の不足により印刷できない場合に、ステープル残数の不足を通知するように前記表示手段を制御することを特徴とする。
【発明の効果】
【０００５】
本発明は、印刷時刻指定機能を有する画像形成装置において、受信した印刷データの印刷に必要なステープル数を計数するステープル計数手段と、装置内のステープル残数を検知するステープル残数検知手段と、印刷時刻が指定された印刷データを受信した際に、印刷データの印刷に必要なステープル数がステープル残数よりも大きい場合にステープル残数の不足を通知する表示手段と、各手段を制御する制御手段とを備えたことにより、ステープル残数不足により印刷データのすべてを印刷できなくなる事態を回避することが可能となる。
【発明を実施するための最良の形態】
【０００６】
以下、本発明の実施の形態を図面に従って説明する。
図１は本発明の実施の形態に係る画像形成装置の機能ブロック図である。本画像形成装置１１０は上位装置であるホスト装置２００と接続されており、ホスト装置２００で作成された印刷データを受信して解読し、用紙に出力するようになっている。
本画像形成装置１１０は、インタフェース部１００、印刷データ記憶部１０１ステープル計数部１０２、メモリ１０３、ＲＯＭ１０４、ＣＰＵ１０５、ステープル残数検知センサ１０６、画像形成部１０７、表示部１０８を備える。
以下、ＣＰＵ１０５の制御による本画像形成装置１１０の動作を説明する。
図２は第１の制御例を示すフローチャートである。インタフェース部１００でホスト装置２００より印刷データを受信すると（Ｓ１）、印刷データを解析し、印刷時刻指定されていた場合は（Ｓ２ではい）、当該印刷データの印刷に必要なステープル数Ｎをステープル計数部１０２で計算する（Ｓ３）。ステープル残数検知センサ１０６でステープル残数Ｍを取得し（Ｓ４）、Ｎ＞Ｍならば（Ｓ５ではい）ステープル残数の不足を、表示部１０８を通じて通知する（Ｓ６）。
図３は第２の制御例を示すフローチャートである。時刻指定された印刷データが印刷データ記憶部１０１に記憶されているか調べ（Ｓ１）、記憶されていた場合はステープル計数部１０２で当該印刷データの印刷に必要なステープル数Ｎを計算する（Ｓ２）。ステープル残数検知センサ１０６でステープル残数Ｍを取得し（Ｓ３）、Ｎ＞Ｍならば（Ｓ４ではい）ステープル残数の不足を、表示部１０８を通じて通知する（Ｓ５）。
図４は第３の制御例を示すフローチャートである。インタフェース部１００でホスト装置２００より印刷データを受信すると（Ｓ１）、印刷データを解析し、当該印刷データの印刷に必要なステープル数Ｎ１をステープル計数部１０２で計算する（Ｓ２）。また、ステープル計数部１０２で印刷データ記憶部１０１に記憶されている印刷データの印刷に必要なステープル数Ｎ２を計算する（Ｓ３）。ステープル残数検知センサ１０６でステープル残数Ｍを取得し（Ｓ４）、Ｎ１＋Ｎ２＞Ｍならば（Ｓ５ではい）ステープル残数の不足を、表示部１０８を通じて通知する（Ｓ６）。
【０００７】
図５は第４の制御例を示すフローチャートである。インタフェース部１００でホスト装置２００より印刷データを受信すると（Ｓ１）、時刻指定された印刷データが印刷データ記憶部１０１に記憶されているか調べ（Ｓ２）、記憶されていなければ、受信した印刷データを印刷する（Ｓ３）。記憶されていた場合は、受信した印刷データを解析し、当該印刷データの印刷に必要なステープル数Ｎ１をステープル計数部１０２で計算する（Ｓ４）。また、ステープル計数部１０２で印刷データ記憶部１０１に記憶されている印刷データの印刷に必要なステープル数Ｎ２を計算する（Ｓ５）。ステープル残数検知センサ１０６でステープル残数Ｍを取得し（Ｓ６）、Ｎ１＋Ｎ２＞Ｍでなければ（Ｓ７でいいえ）受信した印刷データを印刷する（Ｓ３）。そうでなければ（Ｓ７ではい）、受信した印刷データを破棄する（Ｓ８）。
図６は第５の制御例を示すフローチャートである。インタフェース部１００でホスト装置２００より印刷データを受信すると（Ｓ１）、時刻指定された印刷データが印刷データ記憶部１０１に記憶されているか調べ（Ｓ２）、記憶されていなければ、受信した印刷データを印刷する（Ｓ３）。記憶されていた場合は、受信した印刷データを解析し、当該印刷データの印刷に必要なステープル数Ｎ１をステープル計数部１０２で計算する（Ｓ４）。また、ステープル計数部１０２で印刷データ記憶部１０１に記憶されている印刷データの印刷に必要なステープル数Ｎ２を計算する（Ｓ５）。ステープル残数検知センサ１０６でステープル残数Ｍを取得し、Ｎ１＋Ｎ２＞Ｍでなければ（Ｓ７でいいえ）受信した印刷データを印刷する（Ｓ３）。そうでなければ（Ｓ７ではい）、受信した印刷データを破棄し（Ｓ８）、ステープル残数の不足を表示部１０８を通して通知する（Ｓ９）。
【０００８】
図７は第６の制御例を示すフローチャートである。インタフェース部１００でホスト装置２００より印刷データを受信すると（Ｓ１）、ステープル計数部１０２で印刷データ記憶部１０１に記憶されている印刷データの印刷に必要なステープル数Ｎを計算する（Ｓ２）。ステープル残数検知センサ１０６でステープル残数Ｍを取得し（Ｓ３）、Ｎ＜Ｍならば（Ｓ４ではい）まだ印刷していない印刷部数のうちの１部を印刷し（Ｓ５）、まだ印刷していない印刷データがある場合は（Ｓ６ではい）解析処理に戻る。Ｎ＜Ｍでなければ（Ｓ４でいいえ）まだ印刷していない残りの印刷データを破棄する（Ｓ７）。
図８は第７の制御例を示すフローチャートである。インタフェース部１００でホスト装置２００より印刷データを受信すると（Ｓ１）、ステープル計数部１０２で印刷データ記憶部１０１に記憶されている印刷データの印刷に必要なステープル数Ｎを計算する（Ｓ３）。ステープル残数検知センサ１０６でステープル残数Ｍを取得し（Ｓ３）、Ｎ＜Ｍならば（Ｓ４ではい）まだ印刷していない印刷部数のうちの１部を印刷し（Ｓ５）、まだ印刷していない印刷データがある場合は（Ｓ６ではい）解析処理に戻る。Ｎ＜Ｍでなければ（Ｓ４でいいえ）まだ印刷していない残りの印刷データを破棄し（Ｓ７）、ステープル残数の不足を通知する（Ｓ８）。
【０００９】
本実施形態によれば、印刷時刻を指定された印刷データを受信した段階で、印刷データのすべてを印刷するのに必要なステープル残数が不足している場合に、ユーザーにステープルの補充やステープル指定の見直しを促すことで、実際に印刷データを印刷する際にステープル残数不足により印刷データのすべてを印刷できなくなる事態を回避することが可能となる。
また、記憶されている印刷データの印刷に必要なステープル数がステープル残数よりも大きい場合にステープル残数の不足を通知することで、時刻指定をしない印刷データの印刷の際にも、時刻指定された印刷データの印刷に必要なステープル残数が不足している場合に、ユーザーにステープルの補充やステープル指定の見直しを促し、時刻指定された印刷データを印刷する際にステープル残数不足により印刷データのすべてを印刷できなくなる事態を回避することが可能となる。
また、印刷データを受信した際に、受信した印刷データの印刷に必要なステープル数と記憶されている印刷データの印刷に必要なステープル数の合計がステープル残数よりも大きい場合に、ステープル残数の不足を通知することで、ユーザーにステープルの補充やステープル指定の見直しを促し、受信した印刷データのすべての印刷と記憶されている印刷データのすべての印刷においてステープル残数が不足する事態を回避することが可能となる。
また、印刷データを受信した際に、受信した印刷データの印刷に必要なステープル数と記憶されている印刷データの印刷に必要なステープル数の合計がステープル残数よりも大きい場合に、受信した印刷データの印刷を行わないことで、ステープル残数不足になることなく記憶されている印刷データをすべて印刷することが可能となる。
また、ステープル残数の不足により受信した印刷データの印刷を行わない場合に、ステープル残数の不足を通知することで、ユーザーにステープルの補充やステープル指定の見直しを促し、印刷データの印刷を行うことが可能となる。
また、記憶されている印刷データの印刷に必要なステープル数の合計がステープル残数よりも小さい場合に、受信した印刷データのうち、まだ印刷されていない残り印刷部数のうちの１部を印刷することで、ステープルを補充しなくても、記憶されている印刷データの印刷に必要なステープルがある限り印刷を行うことができる。
また、ステープル残数の不足により印刷できない場合に、ステープル残数の不足を通知することで、ユーザーにステープルの補充やステープル指定の見直しを促し、受信した印刷データのすべてを印刷することが可能となる。
【図面の簡単な説明】
【００１０】
【図１】本発明の実施の形態に係る画像形成装置の機能ブロック図。
【図２】第１の制御例を示すフローチャート。
【図３】第２の制御例を示すフローチャート。
【図４】第３の制御例を示すフローチャート。
【図５】第４の制御例を示すフローチャート。
【図６】第５の制御例を示すフローチャート。
【図７】第６の制御例を示すフローチャート。
【図８】第７の制御例を示すフローチャート。
【符号の説明】
【００１１】
１０１  画像データ記憶部（画像データ記憶手段）
１０２  ステープル計数部（ステープル計数手段）
１０５  ＣＰＵ（制御手段）
１０６  ステープル残数検知センサ（ステープル残数検知手段）
１０８  表示部（表示手段）
【図１】
2006224352.tif 000003
【図２】
2006224352.tif 000004
【図３】
2006224352.tif 000005
【図４】
2006224352.tif 000006
【図５】
2006224352.tif 000007
【図６】
2006224352.tif 000008
【図７】
2006224352.tif 000009
【図８】
2006224352.tif 000010